【手続補正書】
【提出日】平成17年7月7日(2005.7.7)
【手続補正１】
【補正対象書類名】明細書
【補正対象項目名】特許請求の範囲
【補正方法】変更
【補正の内容】
【特許請求の範囲】
【請求項１】  マルチゾーン誘導加熱システムであって、該システムは、
ａ．  複数のゾーンに分割されたコイルシステムであって、該ゾーンのうち少なくとも２つのゾーンが電気共振周波数を有し、該共振周波数が少なくとも２つの異なる値を有する、コイルシステムと、
ｂ．  出力周波数を有する電源と、
ｃ．  該電源の該出力周波数を変える制御回路を含む、該ゾーンの各々に供給された電力を制御する制御システムと
を含むシステム。
【請求項２】  前記コイルシステムは複数のコイルを含む、請求項１に記載のマルチゾーン誘導加熱システム。
【請求項３】  前記コイルシステムは、複数のセクションに分割された少なくとも１つのコイルを含む、請求項１に記載のマルチゾーン誘導加熱システム。
【請求項４】  前記制御システムは、少なくとも２つの動作周波数の間で、前記出力周波数を切り換える回路をさらに含む、請求項１に記載のマルチゾーン誘導加熱システム。
【請求項５】  前記制御システムは、前記出力周波数が前記動作周波数の間で切り換えられつつ、前記電源の前記出力電力を変更する回路をさらに含む、請求項４に記載のマルチゾーン誘導加熱システム。
【請求項６】  前記制御システムは、前記電源の前記動作周波数の各々における滞留時間を変更する回路をさらに含む、請求項４に記載のマルチゾーン誘導加熱システム。
【請求項７】  前記制御システムは、前記出力周波数を、周波数の範囲に亘って連続して変更する回路をさらに含む、請求項１に記載のマルチゾーン誘導加熱システム。
【請求項８】  マルチゾーン誘導加熱システムであって、該システムは、
ａ．  複数のゾーンに分割されたコイルシステムであって、該ゾーンのうち少なくとも２つのゾーンが電気共振周波数を有し、該共振周波数が少なくとも２つの異なる値を有する、コイルシステムと、
ｂ．  少なくとも２つの同時に放出された出力周波数を有する電源と、
ｃ．  該ゾーンの各々に供給された電力を制御する制御システムと、
を含み、
該ゾーンによって異なる量の誘導加熱が発生するように、該少なくとも２つの出力周波数が設定された、システム。
【請求項９】  前記コイルシステムは複数のコイルを含む、請求項８に記載のマルチゾーン誘導加熱システム。
【請求項１０】  前記コイルシステムは、複数のセクションに分割された少なくとも１つのコイルを含む、請求項８に記載のマルチゾーン誘導加熱システム。
【請求項１１】  前記同時に放出された出力周波数のうちの少なくとも１つが、前記コイルシステムの前記複数のゾーンのうちの１つのほぼ共振周波数で動作する、請求項８に記載のマルチゾーン誘導加熱システム。
【請求項１２】  前記同時に放出された出力周波数のうちの少なくとも１つが、前記ゾーンのうちのいずれか１つの共振周波数とは異なる周波数で動作する、請求項８に記載のマルチゾーン誘導加熱システム。
【請求項１３】  前記ゾーンの各々に供給された前記電力を制御する前記制御システムは、該ゾーンのうちの少なくとも１つのゾーンによって発生される誘導加熱の量を変えるように構成された可変同調回路をさらに含む、請求項８に記載のマルチゾーン誘導加熱システム。
【請求項１４】  マルチゾーン誘導加熱システムであって、該システムは、
ａ．  複数のゾーンに分割されたコイルシステムであって、該ゾーンのうち少なくとも２つのゾーンが電気共振周波数を有し、該共振周波数が少なくとも２つの異なる値を有する、コイルシステムと、
ｂ．  少なくとも１つの出力周波数を有する、少なくとも１つの電源と、
ｃ．  該ゾーンの各々の該共振周波数を設定し、かつ、該ゾーンによって異なる量の誘導加熱を設定する非切り換え（ｕｎｓｗｉｔｃｈｅｄ）共振回路を含む、前記ゾーンの各々に供給された電力を制御する制御システムと
を含むシステム。
【請求項１５】  前記コイルシステムは複数のコイルを含む、請求項１４に記載のマルチゾーン誘導加熱システム。
【請求項１６】  前記コイルシステムは、複数のセクションに分割された少なくとも１つのコイルを含む、請求項１４に記載のマルチゾーン誘導加熱システム。
【請求項１７】  前記出力周波数は、前記コイルシステムの前記複数のゾーンのうちの１つのゾーンのほぼ共振周波数で動作する、請求項１４に記載のマルチゾーン誘導加熱システム。
【請求項１８】  前記ゾーンの各々に供給された前記電力を制御する前記制御システムは、前記ゾーンのうちの少なくとも１つのゾーンによって発生された誘導加熱の量を変えるように構成された可変同調回路をさらに含む、請求項１４に記載のマルチゾーン誘導加熱システム。
【請求項１９】  前記ゾーンの各々の前記共振周波数を設定する非切り換え共振回路は、
ａ．  第１群のゾーンの共振周波数を設定する、第１群の非切り換え共振回路と、
ｂ．  第２群のゾーンの共振周波数を設定する、第２群の非切り換え共振回路とを含み、
前記制御システムは、該群の非切り換え共振回路の各々に電力を選択的に提供するように構成された切り換え回路をさらに含む、請求項１４に記載のマルチゾーン誘導加熱システム。
【請求項２０】  前記可変同調回路は周波数切り換え回路を含む、請求項１８に記載のマルチゾーン誘導加熱システム。
【請求項２１】  前記可変同調回路は多重周波数回路を含む、請求項１３に記載のマルチゾーン誘導加熱システム。
【請求項２２】  前記可変同調回路は、共振周波数変動回路を含む、請求項１３に記載のマルチゾーン誘導加熱システム。
【請求項２３】  前記共振周波数変動回路は、少なくとも１つの可変インピーダンスエレメントを含む、請求項２２に記載のマルチゾーン誘導加熱システム。
【請求項２４】  前記非切り換え共振回路は、前記ゾーンのうちの１つに主に影響を与える非切り換え共振周波数回路を含む、請求項１４に記載のマルチゾーン誘導加熱システム。
【請求項２５】  前記同時に放出された出力周波数のうちの少なくとも１つは、前記ゾーンのうちのいずれか１つの共振周波数とは異なる周波数で動作する、請求項１１に記載のマルチゾーン誘導加熱システム。
【請求項２６】  前記ゾーンの各々に供給される前記電力を制御する前記制御システムは、該ゾーンのうちの少なくとも１つのゾーンによって発生された誘導加熱の量を変えるように構成された可変同調回路をさらに含む、請求項１１に記載のマルチゾーン誘導加熱システム。
【請求項２７】  前記ゾーンの各々に供給される前記電力を制御する前記制御システムは、該ゾーンのうちの少なくとも１つのゾーンによって発生された誘導加熱の量を変えるように構成された可変同調回路をさらに含む、請求項１２に記載のマルチゾーン誘導加熱システム。
【請求項２８】  前記ゾーンの各々に供給される前記電力を制御する前記制御システムは、該ゾーンのうちの少なくとも１つのゾーンによって発生された誘導加熱の量を変えるように構成された可変同調回路をさらに含む、請求項２５に記載のマルチゾーン誘導加熱システム。
【請求項２９】  前記ゾーンの各々に供給される前記電力を制御する前記制御システムは、該ゾーンのうちの少なくとも１つのゾーンによって発生された誘導加熱の量を変えるように構成された可変同調回路をさらに含む、請求項１７に記載のマルチゾーン誘導加熱システム。
【請求項３０】  前記ゾーンの各々の前記共振周波数を設定する非切り換え共振回路は、
ａ．  第１群のゾーンの共振周波数を設定する、第１群の非切り換え共振回路と、
ｂ．  第２群のゾーンの共振周波数を設定する、第２群の非切り換え共振回路とを含み、
前記制御システムは、該群の非切り換え共振回路の各々に電力を選択的に提供するように構成された切り換え回路をさらに含む、請求項１７に記載のマルチゾーン誘導加熱システム。
【請求項３１】  前記ゾーンの各々の前記共振周波数を設定する非切り換え共振回路は、
ａ．  第１群のゾーンの共振周波数を設定する、第１群の非切り換え共振回路と、
ｂ．  第２群のゾーンの共振周波数を設定する、第２群の非切り換え共振回路とを含み、
前記制御システムは、該群の非切り換え共振回路の各々に電力を選択的に提供するように構成された切り換え回路をさらに含む、請求項１８に記載のマルチゾーン誘導加熱システム。
【請求項３２】  前記ゾーンの各々の前記共振周波数を設定する非切り換え共振回路は、
ａ．  第１群のゾーンの共振周波数を設定する、第１群の非切り換え共振回路と、
ｂ．  第２群のゾーンの共振周波数を設定する、第２群の非切り換え共振回路とを含み、
前記制御システムは、該群の非切り換え共振回路の各々に電力を選択的に提供するように構成された切り換え回路をさらに含む、請求項２９に記載のマルチゾーン誘導加熱システム。
【請求項３３】  前記可変同調回路は、周波数切り換え回路を含む、請求項２９に記載のマルチゾーン誘導加熱システム。
【請求項３４】  前記可変同調回路は、多重周波数回路を含む、請求項２６に記載のマルチゾーン誘導加熱システム。
【請求項３５】  前記可変同調回路は、多重周波数回路を含む、請求項２７に記載のマルチゾーン誘導加熱システム。
【請求項３６】  前記可変同調回路は、多重周波数回路を含む、請求項２８記載のマルチゾーン誘導加熱システム。
【請求項３７】  前記可変同調回路は、多重周波数回路を含む、請求項１８に記載のマルチゾーン誘導加熱システム。
【請求項３８】  前記可変同調回路は、多重周波数回路を含む、請求項２９に記載のマルチゾーン誘導加熱システム。
【請求項３９】  前記可変同調回路は、共振周波数変動回路を含む、請求項２６に記載のマルチゾーン誘導加熱システム。
【請求項４０】  前記可変同調回路は、共振周波数変動回路を含む、請求項２７に記載のマルチゾーン誘導加熱システム。
【請求項４１】  前記可変同調回路は、共振周波数変動回路を含む、請求項２８に記載のマルチゾーン誘導加熱システム。
【請求項４２】  前記可変同調回路は、共振周波数変動回路を含む、請求項１８に記載のマルチゾーン誘導加熱システム。
【請求項４３】  前記可変同調回路は、共振周波数変動回路を含む、請求項２９に記載のマルチゾーン誘導加熱システム。
【請求項４４】  前記共振周波数変動回路は、少なくとも１つの可変インピーダンスエレメントを含む、請求項３９に記載のマルチゾーン誘導加熱システム。
【請求項４５】  前記共振周波数変動回路は、少なくとも１つの可変インピーダンスエレメントを含む、請求項４０に記載のマルチゾーン誘導加熱システム。
【請求項４６】  前記共振周波数変動回路は、少なくとも１つの可変インピーダンスエレメントを含む、請求項４１に記載のマルチゾーン誘導加熱システム。
【請求項４７】  前記共振周波数変動回路は、少なくとも１つの可変インピーダンスエレメントを含む、請求項４２に記載のマルチゾーン誘導加熱システム。
【請求項４８】  前記共振周波数変動回路は、少なくとも１つの可変インピーダンスエレメントを含む、請求項４３に記載のマルチゾーン誘導加熱システム。